【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
樹脂を含む基材の面に挿入されて前記基材に固定され、被固定部材を前記基材に固定する呼び径が３ｍｍのネジが締結されるインサートナットであって、
前記ネジが挿入可能な挿入口が形成されたフランジ部と、
前記フランジ部に対して前記インサートナットの前記基材への挿入方向下流側に配置され、前記基材に囲まれて接触する外周にローレット部が形成され、内周に前記挿入口から挿入される前記ネジの雄ねじが噛み合う雌ネジが形成された筒部と、を備え、
前記インサートナットは、前記フランジ部の前記挿入方向上流側の面が前記基材の面から露出するように前記基材に固定される部材であり、
前記フランジ部の径は、７．２ｍｍ以上、１２ｍｍ以下の大きさであることを特徴とするインサートナット。
【請求項２】
樹脂を含む基材の面に挿入されて前記基材に固定され、被固定部材を前記基材に固定する呼び径が４ｍｍのネジが締結されるインサートナットであって、
前記ネジが挿入可能な挿入口が形成されたフランジ部と、
前記フランジ部に対して前記インサートナットの前記基材への挿入方向下流側に配置され、前記基材に囲まれて接触する外周にローレット部が形成され、内周に前記挿入口から挿入される前記ネジの雄ねじが噛み合う雌ネジが形成された筒部と、を備え、
前記インサートナットは、前記フランジ部の前記挿入方向上流側の面が前記基材の面から露出するように前記基材に固定される部材であり、
前記フランジ部の径は、８．８ｍｍ以上、１６ｍｍ以下の大きさであることを特徴とするインサートナット。
【請求項３】
樹脂を含む基材と、
前記基材の面に挿入されて前記基材に固定されたインサートナットと、
前記基材に対して被固定部材を固定するために前記インサートナットに締結される、呼び径が３ｍｍのネジと、を備え、
前記インサートナットは、
前記ネジが挿入可能な挿入口が形成されたフランジ部と、
前記フランジ部に対して前記インサートナットの前記基材への挿入方向下流側に配置され、前記基材に囲まれて接触する外周にローレット部が形成され、内周に前記挿入口から挿入される前記ネジが噛み合う雌ネジが形成された筒部と、を備え、
前記インサートナットは、前記フランジ部の前記挿入方向上流側の面が前記基材の面から露出するように前記基材に固定されており、
前記フランジ部の径は、前記ネジの呼び径の２．４倍以上、４倍以下の大きさであることを特徴とする固定機構。
【請求項４】
樹脂を含む基材と、
前記基材の面に挿入されて前記基材に固定されたインサートナットと、
前記基材に対して被固定部材を固定するために前記インサートナットに締結される、呼び径が４ｍｍのネジと、を備え、
前記インサートナットは、
前記ネジが挿入可能な挿入口が形成されたフランジ部と、
前記フランジ部に対して前記インサートナットの前記基材への挿入方向下流側に配置され、前記基材に囲まれて接触する外周にローレット部が形成され、内周に前記挿入口から挿入される前記ネジが噛み合う雌ネジが形成された筒部と、を備え、
前記インサートナットは、前記フランジ部の前記挿入方向上流側の面が前記基材の面から露出するように前記基材に固定されており、
前記フランジ部の径は、前記ネジの呼び径の２．２倍以上、４倍以下の大きさであることを特徴とする固定機構。
【請求項５】
請求項１また２に記載のインサートナットを有し、画像形成装置に着脱可能なカートリッジであって、
感光ドラム表面にトナーを供給するためにトナーを担持する現像ローラと、前記現像ローラを回転可能に軸支する軸受と、前記軸受を支持する前記被固定部材としての支持部材と、前記基材としての枠体と、を含み、
前記支持部材には前記ネジの呼びが挿通される、前記ネジの挿入方向と垂直な平面方向における前記ネジの軸部の断面積よりも大きい貫通穴が形成されており、
前記支持部材は、前記貫通穴を通して前記インサートナットに締結された前記ネジに押圧されることによって前記枠体に固定されていることを特徴とするカートリッジ。
【請求項６】
請求項３または４に記載の固定機構を有し、画像形成装置に着脱可能なカートリッジであって、
感光ドラム表面にトナーを供給するためにトナーを担持する現像ローラと、前記現像ローラを回転可能に軸支する軸受と、前記軸受を支持する前記被固定部材としての支持部材と、前記基材としての枠体と、を含み、
前記支持部材には前記ネジの呼びが挿通される、前記ネジの挿入方向と垂直な平面方向における前記ネジの軸部の断面積よりも大きい貫通穴が形成されており、
前記支持部材は、前記貫通穴を通して前記インサートナットに締結された前記ネジに押圧されることによって前記枠体に固定されていることを特徴とするカートリッジ。
【請求項７】
請求項１または２に記載のインサートナットを有し、画像形成装置に取り付けられ、用紙を収納する用紙カセット。
【請求項８】
請求項３または４に記載の固定機構を有し、画像形成装置に取り付けられ、用紙を収納する用紙カセット。
【手続補正２】
【補正対象書類名】明細書
【補正対象項目名】０００８
【補正方法】変更
【補正の内容】
【０００８】
上記目的を達成するための本発明のインサートナットは、樹脂を含む基材の面に挿入されて前記基材に固定され、被固定部材を前記基材に固定する呼び径が３ｍｍのネジが締結されるインサートナットであって、前記ネジが挿入可能な挿入口が形成されたフランジ部と、前記フランジ部に対して前記インサートナットの前記基材への挿入方向下流側に配置され、前記基材に囲まれて接触する外周にローレット部が形成され、内周に前記挿入口から挿入される前記ネジの雄ねじが噛み合う雌ネジが形成された筒部と、を備え、前記インサートナットは、前記フランジ部の前記挿入方向上流側の面が前記基材の面から露出するように前記基材に固定される部材であり、前記フランジ部の径は、７．２ｍｍ以上、１２ｍｍ以下の大きさであることを特徴とする。
【手続補正３】
【補正対象書類名】明細書
【補正対象項目名】０００９
【補正方法】変更
【補正の内容】
【０００９】
また、上記目的を達成するための本発明のインサートナットは、樹脂を含む基材の面に挿入されて前記基材に固定され、被固定部材を前記基材に固定する呼び径が４ｍｍのネジが締結されるインサートナットであって、前記ネジが挿入可能な挿入口が形成されたフランジ部と、前記フランジ部に対して前記インサートナットの前記基材への挿入方向下流側に配置され、前記基材に囲まれて接触する外周にローレット部が形成され、内周に前記挿入口から挿入される前記ネジの雄ねじが噛み合う雌ネジが形成された筒部と、を備え、前記インサートナットは、前記フランジ部の前記挿入方向上流側の面が前記基材の面から露出するように前記基材に固定される部材であり、前記フランジ部の径は、８．８ｍｍ以上、１６ｍｍ以下の大きさであることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
また、上記目的を達成するための本発明の固定機構は、樹脂を含む基材と、前記基材の面に挿入されて前記基材に固定されたインサートナットと、前記基材に対して被固定部材を固定するために前記インサートナットに締結される、呼び径が３ｍｍのネジと、を備え、前記インサートナットは、前記ネジが挿入可能な挿入口が形成されたフランジ部と、前記フランジ部に対して前記インサートナットの前記基材への挿入方向下流側に配置され、前記基材に囲まれて接触する外周にローレット部が形成され、内周に前記挿入口から挿入される前記ネジが噛み合う雌ネジが形成された筒部と、を備え、前記インサートナットは、前記フランジ部の前記挿入方向上流側の面が前記基材の面から露出するように前記基材に固定されており、前記フランジ部の径は、前記ネジの呼び径の２．４倍以上、４倍以下の大きさであることを特徴とする。
【手続補正６】
【補正対象書類名】明細書
【補正対象項目名】００１２
【補正方法】変更
【補正の内容】
【００１２】
また、上記目的を達成するための本発明の固定機構は、樹脂を含む基材と、前記基材の面に挿入されて前記基材に固定されたインサートナットと、前記基材に対して被固定部材を固定するために前記インサートナットに締結される、呼び径が４ｍｍのネジと、を備え、前記インサートナットは、前記ネジが挿入可能な挿入口が形成されたフランジ部と、前記フランジ部に対して前記インサートナットの前記基材への挿入方向下流側に配置され、前記基材に囲まれて接触する外周にローレット部が形成され、内周に前記挿入口から挿入される前記ネジが噛み合う雌ネジが形成された筒部と、を備え、前記インサートナットは、前記フランジ部の前記挿入方向上流側の面が前記基材の面から露出するように前記基材に固定されており、前記フランジ部の径は、前記ネジの呼び径の２．２倍以上、４倍以下の大きさであることを特徴とする。